(57)【要約】      （修正有）【課題】ガスタービンや内燃エンジン構成要素のマーキングにおけるマークの消滅、物品の脆弱化、表面の非平坦化を防止するマーキング方法を提供する。【解決手段】表面１０４及び表面材料１０６を有する基材１０２を含む物品１００を提供するステップと、表面にマーキング材料１０８を施工することにより基材の表面上にデザイン１１０を形成するステップと、を含み、マーキング材料を施工するステップが付加製造法を含む、物品をマーキングする方法が開示される。【選択図】図１
2017019014.tif 000002
【特許請求の範囲】
【請求項１】
物品（１００）をマーキングする方法であって、
表面（１０４）及び表面材料（１０６）を有する基材（１０２）を含む物品（１００）を提供するステップと、
前記表面（１０４）にマーキング材料（１０８）を施工することにより前記基材（１０２）の表面（１０４）上にデザイン（１１０）を形成するステップと、
を含み、前記マーキング材料（１０８）を施工するステップが、付加製造法を含む、方法。
【請求項２】
前記付加製造法が、コールドスプレー、直接金属レーザ焼結、選択的レーザ溶融、選択的レーザ焼結、及びこれらの組み合わせからなる群から選択される、請求項１に記載の方法。
【請求項３】
前記デザイン（１１０）が、バーコード、マトリックスバーコード、クイックレスポンスコード（ＱＲコード）、データマトリックスコード、専用コード、トライアングルコード、数字バーコード、英数字バーコード、２次元バーコード、シンボル、手書き文字、文字、数字、英数字、象形文字、絵文字、音節表記文字、表語文字、及びこれらの組み合わせからなる群から選択される、請求項１に記載の方法。
【請求項４】
前記マーキング材料（１０８）及び前記表面材料（１０６）を酸化又は焼き戻しして、酸化マーキング材料（２０４）及び酸化表面材料（２００）を形成するステップを更に含み、前記酸化マーキング材料（２０４）が、前記酸化表面材料（２００）の酸化表面標識（２０２）とは区別される酸化マーキング標識（２０６）を有する、請求項１に記載の方法。
【請求項５】
物品（１００）をマーキングする方法であって、
第１の表面（５００）と該第１の表面（５００）に対して凹部（５０４）を定める第２の表面（５０２）とを有する表面（１０４）と表面材料（１０６）とを含む基材（１０２）を備えた物品（１００）を提供するステップと、
前記第２の表面（５０２）にマーキング材料（１０８）を施工することにより、前記基材（１０２）の表面（１０４）上にデザイン（１１０）を形成するステップと、
を含み、前記マーキング材料（１０８）がマーキング表面（６００）を形成し、前記マーキング表面（６００）が、前記第１の表面（５００）と実質的に面一であり、前記マーキング材料（１０８）を施工するステップが、付加製造法を含む、方法。
【請求項６】
前記付加製造法が、コールドスプレー、直接金属レーザ焼結、選択的レーザ溶融、選択的レーザ焼結、及びこれらの組み合わせからなる群から選択される、請求項５に記載の方法。
【請求項７】
前記デザイン（１１０）が、バーコード、マトリックスバーコード、クイックレスポンスコード（ＱＲコード）、データマトリックスコード、専用コード、トライアングルコード、数字バーコード、英数字バーコード、２次元バーコード、シンボル、手書き文字、文字、数字、英数字、象形文字、絵文字、音節表記文字、表語文字、及びこれらの組み合わせからなる群から選択される、請求項５に記載の方法。
【請求項８】
前記マーキング材料（１０８）及び前記表面材料（１０６）を酸化又は焼き戻しして、酸化マーキング材料（２０４）及び酸化表面材料（２００）を形成するステップを更に含み、前記酸化マーキング材料（２０４）が、前記酸化表面材料（２００）の酸化表面標識（２０２）とは区別される酸化マーキング標識（２０６）を有する、請求項５に記載の方法。
【請求項９】
前記デザイン（１１０）を形成するステップが、前記第２の表面（５０２）にマーキング材料（１０８）を施工した後に、前記マーキング表面（６００）を前記第１の表面（５００）と実質的に面一となるように機械加工するステップを含む、請求項５に記載の方法。
【請求項１０】
マーキング物品（１００）であって、
表面（１０４）及び表面材料（１０６）を有する基材（１０２）と、
前記基材（１０２）の表面（１０４）上にマーキング材料（１０８）を含むデザイン（１１０）と、
を備え、前記マーキング材料（１０８）が、付加製造法により得られた微細構造を含む、マーキング物品（１００）。
【請求項１１】
前記微細構造が、コールドスプレー微細構造、直接金属レーザ焼結微細構造、選択的レーザ溶融微細構造、選択的レーザ焼結微細構造、及びこれらの組み合わせからなる群から選択される、請求項１０に記載の物品（１００）。
【請求項１２】
前記デザイン（１１０）が、バーコード、マトリックスバーコード、クイックレスポンスコード（ＱＲコード）、データマトリックスコード、専用コード、トライアングルコード、数字バーコード、英数字バーコード、２次元バーコード、シンボル、手書き文字、文字、数字、英数字、象形文字、絵文字、音節表記文字、表語文字、及びこれらの組み合わせからなる群から選択される、請求項１０に記載の物品（１００）。
【請求項１３】
前記マーキング材料（１０８）が、前記表面材料（１０６）を酸化又は焼き戻しすることにより形成される酸化表面材料（２００）の酸化表面標識（２０２）とは区別される酸化マーキング標識（２０６）を有する酸化マーキング材料（２０４）への酸化又は焼き戻し特性を含む、請求項１０に記載の物品（１００）。
【請求項１４】
前記表面（１０４）が、第１の表面（５００）及び第２の表面（５０２）を有し、該第２の表面（５０２）が、該第１の表面（５００）に対して凹部（５０４）を定め、前記マーキング材料（１０８）が前記凹部（５０４）を充填し且つマーキング表面（６００）を含み、該マーキング表面（６００）が、前記第１の表面（５００）と実質的に面一である、請求項１０に記載の物品（１００）。
【発明の詳細な説明】
【技術分野】
【０００１】
本発明は、マーキング方法及びマーキングされた物品に関する。より詳細には、本発明は、付加製造法を用いたマーキング方法及び付加製造法によってマーキングされる物品に関する。
【背景技術】
【０００２】
ガスタービン構成要素、ジェットエンジン構成要素、及び内燃エンジン構成要素などの特定の物品は、多くの一般的なマーキング技法により生成されるマスクの腐食又はマークの消滅を生じる（例えば、マーキングされた表面の酸化によって）状況に晒される。スタンプなどの他の一般的なマーキング技法は、望ましくない応力集中を引き起こし、マーキングされた物品を脆弱化する可能性がある。一部の一般的なマーキング技法は、特定の用途において十分に平坦ではない表面をもたらす。
【発明の概要】
【０００３】
例示的な実施形態において、物品をマーキングする方法は、表面及び表面材料を有する基材を含む物品を提供するステップと、表面にマーキング材料を施工することにより基材の表面上にデザインを形成するステップと、を含み、マーキング材料を施工するステップが、付加製造法を含む。
【０００４】
別の例示的な実施形態において、物品をマーキングする方法は、第１の表面と該第１の表面に対して凹部を定める第２の表面とを有する表面と表面材料とを含む基材を備えた物品を提供するステップと、第２の表面にマーキング材料を施工することにより、基材の表面上にデザインを形成するステップと、を含み、マーキング材料がマーキング表面を形成し、マーキング表面が、第１の表面と実質的に面一である。マーキング材料を施工するステップが、付加製造法を含む。
【０００５】
別の例示的な実施形態において、マーキング物品は、表面及び表面材料を有する基材と、基材の表面上にマーキング材料を含むデザインと、を備える。マーキング材料は、付加製造法により得られた微細構造を含む。
【０００６】
本発明の他の特徴及び利点は、例証として本発明の原理を示す添付図面を参照しながら、以下の好ましい実施形態のより詳細な説明から明らかになるであろう。
【図面の簡単な説明】
【０００７】
【図１】本開示の１つの実施形態による、マーキングされた物品の正面図。
【図２】本開示の１つの実施形態による、酸化後の図１のマーキングされた物品の正面図。
【図３】本開示の１つの実施形態による、マーキングされた物品の正面図。
【図４】本開示の１つの実施形態による、酸化後の図３のマーキングされた物品の正面図。
【図５】本開示の１つの実施形態による、物品の斜視図。
【図６】本開示の１つの実施形態による、マーキング後の図５の物品の斜視図。
【図７】本開示の１つの実施形態による、酸化後の図６の物品の斜視図。
【図８】本開示の１つの実施形態による、物品の斜視図。
【図９】本開示の１つの実施形態による、マーキング後の図８の物品の斜視図。
【図１０】本開示の１つの実施形態による、酸化後の図９の物品の斜視図。
【図１１】本開示の１つの実施形態による、マーキング後の図８の物品の斜視図。
【図１２】本開示の１つの実施形態による、酸化後の図１１の物品の斜視図。
【発明を実施するための形態】
【０００８】
可能な限り、図面全体を通じて同じ要素を示すために同じ参照符号が使用される。
【０００９】
例示的なマーキングされた物品及び物品をマーキングする方法が提供される。本開示の実施形態は、本明細書で開示される１又はそれ以上の特徴要素を利用していない方法及び製品と比べて、高温及び酸化環境などの厳しい動作条件に晒される物品上のマーキングの可読性の改善、マーキングの耐久性の改善、構造的障害の軽減、及び表面平坦化の改善をもたらす。
【００１０】
図１を参照すると、物品１００は、表面１０４及び表面材料１０６を有する基材１０２を含む。物品は、マーキング材料１０８でマーキングされてデザイン１１０を形成する。物品１００は、あらゆる好適な物品である。１つの実施形態において、物品は、ガスタービン構成要素、蒸気タービン構成要素、航空機ジェットエンジン構成要素、内燃エンジン構成要素、タービンシュラウド、タービンブレード、タービンノズル、タービンホイール、近接流路シール、圧縮機ブレード、燃焼サブシステム構成要素、燃料ノズル、燃焼缶、ライナ、移行部品、キャップ、又はこれらの組み合わせとすることができる。
【００１１】
表面材料１０６は、限定ではないが、金属、合金、セラミック、セラミックマトリックス複合材、熱障壁コーティング、ニッケル基超合金、鋼鉄、ＭＣｒＡｌＹ、ガラス繊維複合材、炭素複合材、岩石、鉱物、クロムモリブデン、クロムモリブデンバナジウム、又はこれらの組み合わせを含む、あらゆる好適な材料とすることができる。
【００１２】
マーキング材料１０８は、限定ではないが、金属、合金、セラミック、セラミックマトリックス複合材、熱障壁コーティング、ニッケル基超合金、鋼鉄、ＭＣｒＡｌＹ、ガラス繊維複合材、炭素複合材、岩石、鉱物、クロムモリブデン、クロムモリブデンバナジウム、又はこれらの組み合わせを含む、あらゆる好適な材料とすることができる。マーキング材料１０８は、表面材料１０６と異なるものとして知覚可能である。マーキング材料１０８と表面材料１０６との区別は、ヒト感覚器によって識別可能とすることができ、又はヒト感覚器では知覚不能とすることができる。マーキング材料１０８と表面材料１０６との区別のベースは、限定ではないが、視覚、光学的知覚、電磁気知覚、触覚、放射線知覚、化学的知覚、磁気知覚、聴覚、熱的知覚、電気知覚、振動知覚、又はこれらの組み合わせを含む、あらゆる好適なセンサベースとすることができる。任意選択的に、視覚又は電磁気知覚は、約３８０〜約７５０ｎｍの波長（「可視光」）を有する電磁放射線の知覚を含むことができる。或いは、光学的知覚又は電磁気知覚は、紫外線又は赤外線の知覚を含むことができる。１つの実施形態において、マーキング材料１０８及び表面材料１０６は、色差として人間の目で視覚的に知覚可能な標識を含む。
【００１３】
マーキング材料１０８を施工してデザインを形成することは、限定ではないが、コールドスプレー、直接金属レーザ焼結、選択的レーザ溶融、選択的レーザ焼結、又はこれらの組み合わせを含む、あらゆる好適な付加製造法を含むことができる。
【００１４】
デザイン１１０は、限定ではないが、バーコード、マトリックスバーコード、クイックレスポンスコード（ＱＲコード（登録商標））、データマトリックスコード、専用コード、トライアングルコード、数字バーコード、英数字バーコード、２次元バーコード、シンボル、手書き文字、書簡、数字、英数字、象形文字、絵文字、音節表記文字、表語文字、又はこれらの組み合わせを含む、あらゆる好適なデザインとすることができる。
【００１５】
図１を参照すると、１つの実施形態において、物品１００は、付加製造法により物品１００の表面１０４にマーキング材料１０８を施工することによりマーキングされて、デザイン１１０を定める。別の実施形態において、マーキング材料１０８は、約０．５ｍｍ未満、又は約０．２ｍｍ未満、又は約０．１ｍｍ未満、又は約０．０５ｍｍ未満、又は約０．０２ｍｍ未満の厚さを有する薄層である。
【００１６】
図２を参照すると、１つの実施形態において、表面材料１０６及びマーキング材料１０８は、酸化又は焼き戻しされて、酸化表面材料２００及び酸化マーキング材料２０４を形成する。酸化表面標識２０２と酸化マーキング標識２０６との区別は、ヒト感覚器によって識別可能とすることができ、又はヒト感覚器では知覚不能とすることができる。加えて、酸化表面標識２０２と酸化マーキング標識２０６との区別は、センサによって識別可能とすることができる。酸化表面標識２０２と酸化マーキング標識２０６との区別のベースは、あらゆる好適なセンサベースとすることができる。１つの実施形態において、酸化表面標識２０２及び酸化マーキング標識２０６は、色差として人間の目で視覚的に知覚可能である。マーキング材料１０８は、限定ではないが、アルミニウム、銅、チタン、又はこれらの組み合わせのように、酸化して独自の色を示す金属又は合金とすることができる。
【００１７】
図３を参照すると、デザイン１１０は、マーキング材料１０８なしで定められる。図４を参照すると、酸化又は焼き戻し後のデザイン１１０はまた、酸化マーキング材料２０４なしで定めることができる。１つの実施形態において、マーキング材料１０８は、表面材料１０６の一部を残すように施工される。別の実施形態において、マーキング材料１０８の一部は、限定ではないが、機械加工を含むあらゆる好適な技法により初期施工の後で表面１０４から除去される。
【００１８】
図５を参照すると、物品１００は、第１の表面５００と第２の表面５０２とを含むことができ、該第２の表面５０２は、基材１０２の表面１０４において第１の表面５００に対して凹部５０４を定める。凹部５０４は、限定ではないが、印圧加工、鍛造、加圧成形、スタンピング、エッチング、機械加工、鋳造、又はこれらの組み合わせを含む、あらゆる好適な技法により形成することができる。
【００１９】
図６を参照すると、１つの実施形態において、デザイン１１０は、限定ではないが、コールドスプレー、直接金属レーザ焼結、選択的レーザ溶融、選択的レーザ焼結、又はこれらの組み合わせを含む、あらゆる好適な付加製造法によってマーキング材料１０８を第２の表面５０２（図５に示す）に施工することにより形成される。マーキング材料１０８を第２の表面５０２に施工することにより、マーキング表面６００が形成される。別の実施形態において、マーキング表面６００は、第１の表面５００と実質的に面一である。本明細書で使用される場合、「実質的に」は、マーキング表面６００と第１の表面５００とが、表面１０４の全体的一致からあまり変化しておらず、マーキング表面６００と第１の表面５００が適合する場合に、互いに対する高さの分散が、物品１００の作動許容範囲を超えず、どのような場合でも約２０ｎｍ〜約７５ｎｍ、又は約５０ｎｍを超えないことを示している。マーキング表面６００及び第１の表面５００は、マーキング材料１０８の施工の結果として実質的に面一とすることができ、或いは、表面１０４を更に修正して、マーキング材料１０８の堆積後にマーキング表面６００及び第１の表面５００が実質的に面一となるようにすることができる。実質的に面一を得るための表面１０４の更なる修正は、限定ではないが、機械加工又は研磨、もしくはこれらの組み合わせを含むことができる。
【００２０】
図７を参照すると、１つの実施形態において、表面材料１０６及びマーキング材料１０８は、酸化又は焼き戻しされて、酸化表面材料２００及び酸化マーキング材料２０４を形成する。酸化マーキング材料２０４は、酸化表面材料２００の酸化表面標識２０２とは区別される酸化マーキング標識２０６を含む。酸化表面標識２０２と酸化マーキング標識２０６との区別は、ヒト感覚器によって識別可能とすることができ、又はヒト感覚器では知覚不能とすることができる。加えて、酸化表面標識２０２と酸化マーキング標識２０６との区別は、センサによって識別可能とすることができる。１つの実施形態において、酸化表面標識２０２及び酸化マーキング標識２０６は、色差として人間の目で視覚的に知覚可能である。マーキング材料１０８は、限定ではないが、アルミニウム、銅、チタン、又はこれらの組み合わせのように、酸化して独自の色を示す金属又は合金とすることができる。
【００２１】
図８を参照すると、凹部５０４が最終デザイン１１０の外形に実質的に一致している図５とは対照的に、代替の実施形態では、凹部５０４は、最終デザイン１１０の外形に実質的に一致していない。この実施形態において、図９及び１１を参照すると、コントラスト材料９００がマーキング材料１０８に加えて施工され、マーキング材料１０８、コントラスト材料９００、及び任意選択的に表面材料１０６がデザイン１１０を定めるようになる。図９を参照すると、１つの実施形態において、デザイン１１０は、マーキング材料１０８から形成することができる。図１１を参照すると、別の実施形態において、デザイン１１０は、マーキング材料１０８なしで定めることができる。
【００２２】
コントラスト材料９００は、限定ではないが、金属、合金、セラミック、セラミックマトリックス複合材、熱障壁コーティング、ニッケル基超合金、鋼鉄、ＭＣｒＡｌＹ、ガラス繊維複合材、炭素複合材、岩石、鉱物、クロムモリブデン、クロムモリブデンバナジウム、又はこれらの組み合わせを含む、あらゆる好適な材料とすることができる。コントラスト材料９００は、表面材料１０６と同じ材料とすることができ、又は、表面材料１０６とは異なる材料とすることができる。
【００２３】
コントラスト材料９００は、マーキング材料１０８と区別して知覚可能である。コントラスト材料９００とマーキング材料１０８の区別は、ヒト感覚器によって識別可能とすることができ、又はヒト感覚器では知覚不能とすることができる。コントラスト材料９００とマーキング材料１０８の区別はまた、センサによって識別可能とすることができる。コントラスト材料９００とマーキング材料１０８の区別のベースは、あらゆる好適なセンサベースとすることができる。１つの実施形態において、コントラスト材料９００及びマーキング材料１０８は、色差として人間の目で視覚的に知覚可能な標識を含む。
【００２４】
コントラスト材料９００の施工は、限定ではないが、コールドスプレー、直接金属レーザ焼結、選択的レーザ溶融、選択的レーザ焼結、又はこれらの組み合わせを含む、あらゆる好適な付加製造法を含むことができる。
【００２５】
図１０及び１１を参照すると、表面材料１０６、マーキング材料１０８及びコントラスト材料９００は、酸化又は焼き戻しされて、酸化表面材料２００、酸化マーキング材料２０４及び酸化コントラスト材料１０００を形成する。酸化マーキング材料２０４は、酸化表面材料２００の酸化表面標識２０２及び酸化コントラスト材料１０００の酸化コントラスト標識１００２と区別される酸化マーキング標識２０６を含む。酸化表面標識２０２、酸化マーキング標識２０６、及び酸化コントラスト標識１００２の区別は、ヒト感覚器によって識別可能とすることができ、又はヒト感覚器では知覚不能とすることができる。加えて、酸化表面標識２０２、酸化マーキング標識２０６、及び酸化コントラスト標識１００２の区別は、センサによって識別可能とすることができる。１つの実施形態において、酸化表面標識２０２、酸化マーキング標識２０６、及び酸化コントラスト標識１００２は、色差として人間の目で視覚的に知覚可能である。マーキング材料１０８は、限定ではないが、アルミニウム、銅、チタン、又はこれらの組み合わせのように、酸化して独自の色を示す金属又は合金とすることができる。
【００２６】
好ましい実施形態を参照しながら本発明を説明してきたが、本発明の範囲から逸脱することなく種々の変更を行うことができ且つ本発明の要素を均等物で置き換えることができる点は理解されるであろう。加えて、本発明の本質的な範囲から逸脱することなく、特定の状況又は物的事項を本発明の教示に適合するように多くの修正を行うことができる。従って、本発明は、本発明を実施するために企図される最良の形態として開示した特定の実施形態に限定されるものではなく、また本発明は、提出した請求項の技術的範囲内に属する全ての実施形態を包含することになるものとする。
【００２７】
最後に、代表的な実施態様を以下に示す。
［実施態様１］
物品をマーキングする方法であって、
表面及び表面材料を有する基材を含む物品を提供するステップと、
上記表面にマーキング材料を施工することにより上記基材の表面上にデザインを形成するステップと、
を含み、上記マーキング材料を施工するステップが、付加製造法を含む、方法。
［実施態様２］
上記付加製造法がコールドスプレーである、実施態様１に記載の方法。
［実施態様３］
上記付加製造法が、直接金属レーザ焼結、選択的レーザ溶融、選択的レーザ焼結、及びこれらの組み合わせからなる群から選択される、実施態様１に記載の方法。
［実施態様４］
上記デザインが、バーコード、マトリックスバーコード、クイックレスポンスコード（ＱＲコード（登録商標））、データマトリックスコード、専用コード、トライアングルコード、数字バーコード、英数字バーコード、２次元バーコード、シンボル、手書き文字、文字、数字、英数字、象形文字、絵文字、音節表記文字、表語文字、及びこれらの組み合わせからなる群から選択される、実施態様１に記載の方法。
［実施態様５］
上記マーキング材料及び上記表面材料を酸化又は焼き戻しして、酸化マーキング材料及び酸化表面材料を形成するステップを更に含み、上記酸化マーキング材料が、上記酸化表面材料の酸化表面標識とは区別される酸化マーキング標識を有する、実施態様１に記載の方法。
［実施態様６］
上記物品が、タービン構成要素である、実施態様１に記載の方法。
［実施態様７］
物品をマーキングする方法であって、
第１の表面と該第１の表面に対して凹部を定める第２の表面とを有する表面と表面材料とを含む基材を備えた物品を提供するステップと、
上記第２の表面にマーキング材料を施工することにより、上記基材の表面上にデザインを形成するステップと、
を含み、上記マーキング材料がマーキング表面を形成し、上記マーキング表面が、上記第１の表面と実質的に面一であり、上記マーキング材料を施工するステップが、付加製造法を含む、方法。
［実施態様８］
上記付加製造法がコールドスプレーである、実施態様７に記載の方法。
［実施態様９］
上記付加製造法が、直接金属レーザ焼結、選択的レーザ溶融、選択的レーザ焼結、及びこれらの組み合わせからなる群から選択される、実施態様７に記載の方法。
［実施態様１０］
上記デザインが、バーコード、マトリックスバーコード、クイックレスポンスコード（ＱＲコード（登録商標））、データマトリックスコード、専用コード、トライアングルコード、数字バーコード、英数字バーコード、２次元バーコード、シンボル、手書き文字、文字、数字、英数字、象形文字、絵文字、音節表記文字、表語文字、及びこれらの組み合わせからなる群から選択される、実施態様７に記載の方法。
［実施態様１１］
上記マーキング材料及び上記表面材料を酸化又は焼き戻しして、酸化マーキング材料及び酸化表面材料を形成するステップを更に含み、上記酸化マーキング材料が、上記酸化表面材料の酸化表面標識とは区別される酸化マーキング標識を有する、実施態様７に記載の方法。
［実施態様１２］
上記デザインを形成するステップが、上記第２の表面にマーキング材料を施工した後に、上記マーキング表面を上記第１の表面と実質的に面一となるように機械加工するステップを含む、実施態様７に記載の方法。
［実施態様１３］
上記物品が、タービン構成要素である、実施態様７に記載の方法。
［実施態様１４］
マーキング物品であって、
表面及び表面材料を有する基材と、
上記基材の表面上にマーキング材料を含むデザインと、
を備え、上記マーキング材料が、付加製造法により得られた微細構造を含む、マーキング物品。
［実施態様１５］
上記微細構造が、コールドスプレー微細構造である、請求項１４に記載の物品。
［実施態様１６］
上記微細構造が、直接金属レーザ焼結微細構造、選択的レーザ溶融微細構造、選択的レーザ焼結微細構造、及びこれらの組み合わせからなる群から選択される、実施態様１０に記載の物品。
［実施態様１７］
上記デザインが、バーコード、マトリックスバーコード、クイックレスポンスコード（ＱＲコード（登録商標））、データマトリックスコード、専用コード、トライアングルコード、数字バーコード、英数字バーコード、２次元バーコード、シンボル、手書き文字、文字、数字、英数字、象形文字、絵文字、音節表記文字、表語文字、及びこれらの組み合わせからなる群から選択される、実施態様１４に記載の物品。
［実施態様１８］
上記マーキング材料が、上記表面材料を酸化又は焼き戻しすることにより形成される酸化表面材料の酸化表面標識とは区別される酸化マーキング標識を有する酸化マーキング材料への酸化又は焼き戻し特性を含む、実施態様１４に記載の物品。
［実施態様１９］
上記表面が、第１の表面及び第２の表面を有し、該第２の表面が、該第１の表面に対して凹部を定め、上記マーキング材料が上記凹部を充填し且つマーキング表面を含み、該マーキング表面が、上記第１の表面と実質的に面一である、実施態様１４に記載の物品。
［実施態様２０］
上記物品が、タービン構成要素である、実施態様１４に記載の物品。
【符号の説明】
【００２８】
１００  物品
１０２  基材
１０４  表面
１０６  表面材料
１０８  マーキング材料
１１０  デザイン
２００  酸化表面材料
２０２  酸化表面標識
２０４  酸化マーキング材料
２０６  酸化マーキング標識
【図１】
2017019014.tif 000003
【図２】
2017019014.tif 000004
【図３】
2017019014.tif 000005
【図４】
2017019014.tif 000006
【図５】
2017019014.tif 000007
【図６】
2017019014.tif 000008
【図７】
2017019014.tif 000009
【図８】
2017019014.tif 000010
【図９】
2017019014.tif 000011
【図１０】
2017019014.tif 000012
【図１１】
2017019014.tif 000013
【図１２】
2017019014.tif 000014
【外国語明細書】
2017019014000001.pdf